(57)【要約】【課題】取付ける位置が限定されない、コンシールファスナーのシート状基材への取付構造，並びにコンシールファスナーをシート状基材に取付ける方法を提供すること。【解決手段】コンシールファスナーのシート状基材への取付構造であって、上記取付構造が、シート状基材と、コンシールファスナーと、補助部材とを有し、上記シート状基材が、第１切込部と、第１切込部の長手方向に沿って延びる１折返部とを有し、上記補助部材が、第２切込部と、第２切込部の長手方向に沿って延びる第２折返部とを有し、上記取付構造が、第１折返部と、第２折返部とを連結する第１連結部を有し、そして上記取付構造が、上記テープ状部材と、第１折返部等とを連結する第２連結部を有することを特徴とする取付構造。【選択図】図２
2015139497.tif 000002
【特許請求の範囲】
【請求項１】
コンシールファスナーのシート状基材への取付構造であって、
前記取付構造が、シート状基材と、コンシールファスナーと、前記シート状基材及びコンシールファスナーの間の補助部材とを有し、
前記シート状基材が、長手方向を有する第１切込部と、第１切込部の長手方向両側部を第１切込部の長手方向に沿って前記補助部材側にそれぞれ折り返すことにより形成された、第１切込部の長手方向に沿って延びる一対の第１折返部とを有し、
前記コンシールファスナーが、長手方向を有するエレメント部と、前記エレメント部を開閉させる引手部と、前記エレメント部の長手方向に沿って配置され且つ前記エレメント部により分離可能な一対のテープ状部材とを有し、
前記補助部材が、長手方向を有する第２切込部と、第２切込部の長手方向両側部を第２切込部の長手方向に沿って前記シート状基材側にそれぞれ折り返すことにより形成された、第２切込部の長手方向に沿って延びる一対の第２折返部とを有し、
前記取付構造が、一対の第１折返部と、一対の第２折返部とをそれぞれ連結する一対の第１連結部を有し、そして
前記取付構造が、一対の第１連結部よりも少なくとも内側において、前記一対のテープ状部材と、一対の第１折返部及び／又は第２切込部の両端の補助部材とをそれぞれ連結する一対の第２連結部を有する、
ことを特徴とする、前記取付構造。
【請求項２】
前記補助部材の自由端が、前記テープ状部材の自由端と略同一の位置にあるか、又は前記テープ状部材の自由端よりも外側に配置されている、請求項１に記載の取付構造。
【請求項３】
一対の第１折返部の自由端が、一対の第２折返部の自由端と略同一の位置に配置されている、請求項１又は２に記載の取付構造。
【請求項４】
第１切込部と、第２切込部とが、略同一の長さを有する、請求項１〜３のいずれか一項に記載の取付構造。
【請求項５】
第１連結部及び／又は第２連結部が、縫合部である、請求項１〜４のいずれか一項に記載の取付構造。
【請求項６】
前記シート状基材が、第１切込部の長手方向両端の外側において連続している、請求項１〜５のいずれか一項に記載の取付構造。
【請求項７】
一対の第１折返部が、それぞれ、第１切込部から遠ざかる方向に突出する略弓形の形状を有する、請求項１〜６のいずれか一項に記載の取付構造。
【請求項８】
前記テープ状基材が、第１切込部の長手方向両端の一方又は両方において、第１切込部と交差する第１切込部拡幅部をさらに備える、請求項１〜６のいずれか一項に記載の取付構造。
【請求項９】
一対の第２折返部が、それぞれ、第２切込部から遠ざかる方向に突出する略弓形の形状を有する、請求項１〜８のいずれか一項に記載の取付構造。
【請求項１０】
前記補助部材が、第２切込部の長手方向両端の一方又は両方において、第２切込部と交差する第２切込部拡幅部をさらに備える、請求項１〜８のいずれか一項に記載の取付構造。
【請求項１１】
前記一対のテープ状部材が、ポケット部用部材とさらに連結されており、前記取付構造が、前記コンシールファスナーからアクセスすることができるポケット部をさらに有する、請求項１〜１０のいずれか一項に記載の取付構造。
【請求項１２】
第２連結部が、前記テープ状部材と、第２折返部とを連結し、前記取付構造の表面から、前記テープ状部材の一部が見えている、請求項１〜１１のいずれか一項に記載の取付構造。
【請求項１３】
衣服用である、請求項１〜１２のいずれか一項に記載の取付構造。
【請求項１４】
コンシールファスナーを、シート状基材に取付ける方法であって、
シート状基材と、コンシールファスナーと、補助部材とを準備するステップ、ここで、前記コンシールファスナーは、長手方向を有するエレメント部と、前記エレメント部の長手方向に沿って配置され且つ前記エレメント部により分離可能な一対のテープ状部材と、前記エレメント部を開閉する引手部とを有する、
前記補助部材を、前記シート状基材の上に、前記シート状基材の表面と前記補助部材の裏面とが向かい合うように積み重ねるステップ、
前記シート状基材と、前記補助部材とを、一対の第１連結部を形成するように連結するステップ、
一対の第１連結部の間に切込みを入れ、前記シート状基材に長手方向を有する第１切込部を形成するとともに、前記補助部材に長手方向を有する第２切込部を形成するステップ、
前記補助部材を、第１切込部及び第２切込部の中に通し、前記補助部材を前記シート状基材の裏面側に移動させるとともに、前記シート状基材の一部と、前記補助部材の一部とを、それぞれ折返し、前記シート状基材の裏面と、前記補助部材の表面とを向かい合わせるステップ、ここで、当該ステップにより、前記シート状基材及び前記補助部材に、それぞれ、一対の第１折返部及び一対の第２折返部が形成され、一対の第１折返部は、第１切込部の長手方向に沿って延び、一対の第２折返部は、第２切込部の長手方向に沿って延びる、
一対の第１連結部よりも少なくとも内側において、前記一対のテープ状部材と、一対の第１折返部及び／又は第２切込部の両端の補助部材とをそれぞれ連結し、一対の第２連結部を形成するステップ、
を含むことを特徴とする、前記方法。
【請求項１５】
前記一対のテープ状部材を、ポケット部用部材と連結し、前記コンシールファスナーからアクセスすることができるポケット部を形成するステップをさらに含む、請求項１４に記載の方法。
【請求項１６】
前記補助部材の自由端が、前記テープ状部材の自由端と略同一の位置にあるか、又は前記テープ状部材の自由端よりも外側に配置されており、一対の第２連結部を形成するステップにおいて、前記テープ状部材の自由端を目印として、前記一対のテープ状部材と、一対の第１折返部及び／又は第２切込部の両端の補助部材とをそれぞれ連結する、請求項１４又は１５に記載の方法。
【発明の詳細な説明】
【技術分野】
【０００１】
本開示は、コンシールファスナーのシート状基材への取付構造，並びにコンシールファスナーをシート状基材に取付ける方法に関する。
【背景技術】
【０００２】
衣服のポケット部等の開閉機構、衣服の左右の身頃の開閉機構等として、スライドファスナーが用いられていることが多い。当該スライドファスナーにより、ポケット部を簡易に開閉することができ、そして左右の身頃を簡易に開閉することができる。
【０００３】
また、スライドファスナーの一種として、ファスナーの存在が外部から見えにくいコンシールファスナーが知られている。当該コンシールファスナーは、ファスナーの存在が外部から見えにくいため、デザイン戦略上、好ましい場合がある。しかし、コンシールファスナーは、図１４に示されるように、その構造上、２つのパーツの連結部に形成する必要があるため、ファスナーを形成する場所が制限される。
【０００４】
例えば、特許文献１には、布団等カバーの締結具であつて、カバー本体片面央部又は、縫い目に把持金具を有するコンシールファスナーを縫着しファスナー止近傍に設けたポケットにこの把持金具を収納するか又は、エフロンファスナーを央部縫い目に縫着形成しこのファスナーを開閉することで布団等をカバー本体から収脱自在としたことを特徴とする布団等カバー締結具が記載されている。
【先行技術文献】
【特許文献】
【０００５】
【特許文献１】実用新案登録第３０５９８４３号公報
【発明の概要】
【発明が解決しようとする課題】
【０００６】
しかし、上述のように、引例１では、コンシールファスナーは、２つのパーツの連結部に形成されている。
従って、本開示は、取付ける位置が限定されない、コンシールファスナーのシート状基材への取付構造，並びにコンシールファスナーをシート状基材に取付ける方法を提供することを目的とする。
【課題を解決するための手段】
【０００７】
本開示者らは、上記課題を解決するために鋭意検討した結果、コンシールファスナーのシート状基材への取付構造であって、上記取付構造が、シート状基材と、コンシールファスナーと、上記シート状基材及びコンシールファスナーの間の補助部材とを有し、上記シート状基材が、長手方向を有する第１切込部と、第１切込部の長手方向両側部を第１切込部の長手方向に沿って上記補助部材側にそれぞれ折り返すことにより形成された、第１切込部の長手方向に沿って延びる一対の第１折返部とを有し、上記コンシールファスナーが、長手方向を有するエレメント部と、上記エレメント部を開閉させる引手部と、上記エレメント部の長手方向に沿って配置され且つ上記エレメント部により分離可能な一対のテープ状部材とを有し、上記補助部材が、長手方向を有する第２切込部と、第２切込部の長手方向両側部を第２切込部の長手方向に沿って上記シート状基材側にそれぞれ折り返すことにより形成された、第２切込部の長手方向に沿って延びる一対の第２折返部とを有し、上記取付構造が、一対の第１折返部と、一対の第２折返部とをそれぞれ連結する一対の第１連結部を有し、そして上記取付構造が、一対の第１連結部よりも少なくとも内側において、上記一対のテープ状部材と、一対の第１折返部及び／又は第２切込部の両端の補助部材とをそれぞれ連結する一対の第２連結部を有することを特徴とする取付構造を見出した。
【発明の効果】
【０００８】
本開示の、コンシールファスナーのシート状基材への取付構造，並びにコンシールファスナーをシート状基材に取付ける方法は、コンシールファスナーを取付ける位置が限定されない。
【図面の簡単な説明】
【０００９】
【図１】図１は、本開示の実施形態の１つに従う、コンシールファスナーのシート状基材への取付構造１の斜視図である。
【図２】図２は、図１のＩＩ−ＩＩ面における分解斜視図である。
【図３】図３は、図１のＩＩ−ＩＩ面における斜視断面図である。
【図４】図４は、図１に示される取付構造１の正面図である。
【図５】図５は、本開示の別の実施形態に従う取付構造を説明するための図である。
【図６】図６は、本開示の別の実施形態に従う取付構造を説明するための図である。
【図７】図７は、本開示の別の実施形態に従う取付構造を説明するための図である。
【図８】図８は、本開示の別の実施形態に従う取付構造１の斜視断面図である。
【図９】図９は、本開示の別の実施形態に従う取付構造１を説明するための図である。
【図１０】図１０は、本開示の別の実施形態に従う取付構造１を説明するための図である。
【図１１】図１１は、本開示の他の実施形態に従う取付構造１を説明するための図である。
【図１２】図１２は、本開示の取付構造を備える衣服の例を説明するための図である。
【図１３Ａ】図１３Ａは、コンシールファスナーを、シート状基材に取付ける方法を説明するための図である。
【図１３Ｂ】図１３Ｂは、コンシールファスナーを、シート状基材に取付ける方法を説明するための図である。
【図１３Ｃ】図１３Ｃは、コンシールファスナーを、シート状基材に取付ける方法を説明するための図である。
【図１４】図１４は、従来のコンシールファスナーの取付方法及び取付構造を説明するための図である。
【発明を実施するための形態】
【００１０】
［定義］
はじめに、本明細書にて用いられる用語のうち、いくつかを定義する。
［切込部］
本明細書において、「切込部」、例えば、第１切込部又は第２切込部は、シート状基材，補助部材等の基材に設けられた、長手方向を有する切断部分のうち、長手方向の両端又は一方の端が開放されているもの、並びに長手方向の両端が閉じているものの両方を含む概念である。長手方向の両端が開放されることにより、シート状基材が２つのパーツに分けられる。また、上記切断部分のうち、長手方向の両端が閉じているものは、後述のスリット部と称される。
なお、長手方向が開放されているとは、長手方向の端部の先に基材が存在しないことを意味する。また、長手方向が閉じているとは、長手方向の端部の先に基材が存在することを意味する。
【００１１】
［スリット部］
本明細書において、「スリット部」は、シート状基材，補助部材等の基材に設けられた切断部分のうち、長手方向の両端が閉じているものを意味する。スリット部は、上述の切込部に含まれる概念である。
【００１２】
［連続］
本明細書において、シート状基材，補助部材等の基材に関する「連続」は、対象となる領域において、基材が１枚から成ることを意味し、複数枚の基材を、糸による縫合、接着剤による固定等により連結させたものは含まれない。
なお、基材が布帛である場合には、基材が連続していることを、「一枚布」と称する場合もある。
【００１３】
［表面及び裏面］
本明細書において、取付構造、シート状基材、コンシールファスナー、補助部材等の「表面」は、コンシールファスナーの引手部が存在し、ユーザーがコンシールファスナーにアクセスできる側の面を意味し、同「裏面」は、その反対側の面を意味する。
【００１４】
［内側及び外側］
本明細書において、「内側」及び「外側」は、コンシールファスナーのエレメント部を通る、取付構造の厚さ方向に広がる面からの距離に関連する用語であり、それぞれ、上記面から近いこと及び遠いことを意味する。
例えば、自由端Ａが自由端Ｂよりも「内側」にあるとは、自由端Ａから上記面までの距離ＬAが、自由端Ｂから上記面までの距離ＬBよりも近いことを意味する。
なお、「同一」とは、上記距離が等しいことを意味する。
【００１５】
［幅］
本明細書において、「幅」は、各部材の、長手方向と直行する方向の長さを意味する。上記各部材としては、シート状基材、補助部材、テープ状部材、第１折返部、第２折返部等が挙げられる。
【００１６】
［コンシールファスナーのシート状基材への取付構造］
本開示の、コンシールファスナーのシート状基材への取付構造（以下、単に「取付構造」と称する場合がある）について、以下説明する。
図１は、本開示の実施形態の１つに従う、コンシールファスナーのシート状基材への取付構造１の斜視図である。
【００１７】
図１に示される取付構造１は、シート状基材２と、コンシールファスナー３と、シート状基材２及びコンシールファスナー３の間の補助部材４とを有する。また、図１に示される取付構造１では、シート状基材に形成された第１切込部５と、コンシールファスナー３の引手部６が示されている。
【００１８】
図２は、図１のＩＩ−ＩＩ面における分解斜視図である。図３は、図１のＩＩ−ＩＩ面における斜視断面図である。
図２及び図３に示される取付構造１では、シート状基材２が、長手方向Ｌ1を有する第１切込部５と、第１切込部５の長手方向Ｌ1の２つの長手方向側部１２１を、第１切込部５の長手方向Ｌ1に沿って、シート状基材２の裏面１２３側、すなわち、補助部材４側にそれぞれ折り返すことにより形成された、第１切込部５の長手方向Ｌ1に沿って延びる２つ（一対）の第１折返部７とを有する。
２つの第１折返部７は、それぞれ、第１切込部５から遠ざかる方向に突出する略弓形の形状（図示せず）を有する。
【００１９】
図２及び図３に示される取付構造１では、コンシールファスナー３が、長手方向Ｌ2を有するエレメント部８と、エレメント部８を開閉させる引手部６と、エレメント部８の長手方向に沿って配置されている一対のテープ状部材９とを有する。なお、一対のテープ状部材９は、エレメント部８によって分離可能である。
【００２０】
図２及び図３に示される取付構造１では、補助部材４が、長手方向Ｌ3を有する第２切込部１０と、第２切込部１０の長手方向Ｌ3の２つの長手方向側部２０１を、第２切込部１０の長手方向Ｌ3に沿って、補助部材４の表面１４２側、すなわち、シート状基材２側にそれぞれ折り返すことにより形成された、第２切込部１０の長手方向Ｌ3に沿って延びる２つ（一対）の第２折返部１１とを有する。
【００２１】
図２に示される補助部材４の２つの第２折返部１１は、それぞれ、第２切込部１０から遠ざかる方向に突出する略弓形の形状を有する。
また、補助部材４は、第２切込部１０の長手方向Ｌ3の長手方向端部２０２'（もう一方の端部は、図示せず）の外側において連続している。
【００２２】
図３に示される取付構造１は、一対の第１折返部７と、一対の第２折返部１１とをそれぞれ連結する一対の第１連結部１２を有する。図３に示される取付構造１は、一対の第１連結部１２よりも内側において、コンシールファスナー３の一対のテープ状部材９と、一対の第１折返部７とをそれぞれ連結する一対の第２連結部１３を有する。
【００２３】
なお、図２では、説明のため、第１連結部と、第２連結部とが省略されている。また、図３では、第１連結部１２及び第２連結部１３は、両方とも、糸で各部材を縫合することにより形成された縫合部である。
また、図２及び図３に示されるように、本明細書では、説明を目的として、取付構造１の各パーツの厚さは、誇張して表現されている。
【００２４】
図４は、図１に示される取付構造１の正面図である。図４に示されるように、シート状基材２の第１切込部５の２つの長手方向端部１５２'及び１５２''の外側では、シート状基材２が連続している。
【００２５】
図２に示される実施形態では、補助部材４が第２切込部１０を有し、そして第２切込部１０から形成される第２折返部１１が第２切込部１０から遠ざかる方向に突出する略弓形の形状を有しているが、本開示の別の実施形態に従う取付構造では、補助部材が、第２切込部の長手方向両端の一方又は両方において、第２切込部と交差する第２切込部拡幅部を有する。第２切込部拡幅部を設けることにより、特に、長手方向の端部における第２折返部の幅を厚くすることができ、工数は増えるものの、長手方向の端部における第１折返部と、第２折返部との間の連結の強度を向上することができる。
【００２６】
第２切込部と、第２切込部拡幅部とは、任意の角度で交差しうるが、直交することが好ましい。また、第２切込部と、第２切込部拡幅部とは、例えば、Ｔ字形状又は十字形状で交差することができる。
【００２７】
図５は、本開示の別の実施形態に従う取付構造を説明するための図であり、補助部材４のみを抽出し、斜視図で示したものである。なお、補助部材４以外の構成は、図１〜４に示される取付構造１と同様である。
【００２８】
図５に示される補助部材４は、第２切込部１０と、第２切込部１０の長手方向両端２０２'及び２０２''において第２切込部１０と直交する第２切込部拡幅部２０３'及び２０３''とを有し、第２折返部１１が、第２切込部１０の長手方向Ｌ3に延びる略矩形の形状を有する。
【００２９】
図２に示される実施形態では、補助部材４が、第２切込部１０の長手方向Ｌ3の長手方向端部２０２'（もう一方は、図示せず）の外側において連続しているが、本開示の別の実施形態に従う取付構造では、補助部材が、第２切込部の長手方向両端の一方又は両方において、連続していない。
【００３０】
図６は、本開示の別の実施形態に従う取付構造を説明するための図であり、補助部材４のみを抽出し、斜視図で示したものである。なお、補助部材４以外の構成は、図１〜４に示される取付構造と同様である。
図６に示される補助部材４は、第２切込部１０の長手方向Ｌ3の２つの長手方向端部２０２'及び２０２''のうち、長手方向端部２０２'の外側において連続し、そして長手方向端部２０２''の外側において連続していない。
【００３１】
図２に示される実施形態では、２つの第１折返部７が、それぞれ、第１切込部５から遠ざかる方向に突出する略弓形の形状を有するが、本開示の別の実施形態に従う取付構造では、シート状基材が、第１切込部の長手方向両端の一方又は両方において、第１切込部と交差する第１切込部拡幅部を有する。第１切込部拡幅部を設けることにより、特に、長手方向の端部における第１折返部の幅を厚くすることができ、工数は増えるものの、長手方向の端部における第２折返部と、第１折返部との間の連結の強度を向上させることができる。
【００３２】
第１切込部と、第１切込部拡幅部とは、任意の角度で交差しうるが、直交することが好ましい。また、第１切込部と、第１切込部拡幅部とは、例えば、Ｔ字形状又は十字形状で交差することができる。
【００３３】
図７は、本開示の別の実施形態に従う取付構造を説明するための図であり、シート状基材２のみを抽出し、表裏を反転させ、斜視図で示したものである。なお、シート状基材２以外の構成は、図１〜４に示される取付構造１と同様である。
【００３４】
図７に示されるシート状基材２は、第１切込部５と、第１切込部５の長手方向両端１５２'及び１５２''において第１切込部５と直交する第１切込部拡幅部２０４'及び２０４''とを有し、第１折返部７が、第１切込部５の長手方向Ｌ1に延びる略矩形の形状を有する。
【００３５】
図８は、本開示の別の実施形態に従う取付構造１の斜視断面図であり、図１のＩＩ−ＩＩ面に相当する断面における斜視断面図である。
図８に示される取付構造１では、第２連結部１３が、コンシールファスナー３のテープ状部材９と、補助部材４とを連結し、取付構造１の表面１０２側からコンシールファスナー３のテープ状部材９の一部が見えている。
なお、図８に示される実施形態１において、説明されていない部分は、図１に示される実施形態と同様である。
【００３６】
コンシールファスナーのテープ状部材は、外側から見えないように配置されるのが一般的ではあるが、図８に示されるような実施形態において、シート状基材の色彩と、テープ状部材の色彩とを変えることにより、ファスナー部にアクセント等の美的効果を加えることができる。
【００３７】
図９は、本開示の別の実施形態に従う取付構造１を説明するための図であり、図１のＩＩ−ＩＩ面における端面図に相当する。図９に示される取付構造１では、コンシールファスナー３の２つのテープ状部材９'及び９''が、それぞれ、ポケット部を形成するためのポケット部用部材２１'及び２１''と連結されている。
【００３８】
より具体的には、コンシールファスナー３の２つのテープ状部材９'及び９''の自由端１９４'及び１９４''近傍が、それぞれ、ポケット部用部材２１'及び２１''の端部と、それぞれ、第３連結部２３'及び２３''により連結されている。ポケット部用基材２１'及び２１は、第４連結部２４により連結され、取付構造１に、コンシールファスナー３を開閉することによりアクセス可能なポケット部２２が形成される。
なお、図９に示される実施形態では、ポケット部２２以外の構成は、図１に示される実施形態と同様であるため、説明を省略する。
【００３９】
図３では、補助部材４の自由端１４４が、テープ状部材９の自由端１９４と略同一の位置にあるが、本開示の別の実施形態に従う取付構造では、補助部材の自由端が、テープ状部材の自由端よりも外側に配置されている。
【００４０】
図１０は、本開示の別の実施形態に従う取付構造１を説明するための図である。図１０は、図１のＩＩ−ＩＩ面に相当する端面における端面図である。図１０に示される取付構造１では、補助部材４の自由端１４４が、テープ状部材９の自由端１９４よりも外側に配置されている。
【００４１】
補助部材の、第２折返部と反対側にある自由端が、テープ状部材の、エレメント部と反対側の自由端と同一の位置にあるか、又はそれよりも外側の位置にあることは、コンシールファスナーをシート状基材に連結する際に重要となる。その理由については、コンシールファスナーを、シート状基材に取付ける方法に関連して説明する。
【００４２】
本開示の取付構造において、シート状基材としては、シート状のものであれば、特に制限されないが、例えば、布帛、例えば、織物、編物及び不織布、フィルム、例えば、開孔フィルム及び非開孔フィルム、皮革、例えば、天然皮革及び合成皮革等が挙げられる。
【００４３】
また、本開示の取付構造において、シート状基材は、伸縮性を有するものであることが好ましい。シート状基材をコンシールファスナー及び補助部材と連結する際に、コンシールファスナーが存在することをわかりにくくする、シート状基材をゆがみにくくする等の観点からである。
【００４４】
また、本開示の取付構造において、シート状基材から形成される第１折返部としては、好ましくは約１．０〜約１０．０ｍｍ、そしてより好ましくは約２．０〜約５．０ｍｍの幅を有する。上記幅が約１．０ｍｍを下回ると、第１連結部及び第２連結部を形成することが難しくなる傾向があり、そして約１０．０ｍｍを上回ると、シート状基材が、コンシールファスナーの方向に引きつられる場合がある。
【００４５】
本開示の取付構造において、補助部材は、コンシールファスナーをシート状基材に連結する際の目印となる部材であり、実施形態によっては、コンシールファスナーが、補助部材に固定される場合もある。
上記補助部材としては、上記シート状基材と同様のものが挙げられるが、扱いやすさの観点からは、ある程度の伸縮性を有するもの、例えば、布帛であることが好ましい。
【００４６】
また、本開示の取付構造において、補助部材から形成される第２折返部としては、好ましくは第１折返部より短い幅を有し、より好ましくは約０．５〜約９．０ｍｍの幅、そしてさらに好ましくは約１．５〜約４．０ｍｍの幅を有する。第２折返部が、第１折返部より短い幅を有することにより、コンシールファスナーを、第１折返部に連結しやすくなる。
【００４７】
なお、上記幅が約０．５ｍｍを下回ると、第１連結部を形成することが難しくなる傾向があり、そして約９．０ｍｍを上回ると、シート状基材がコンシールファスナーの方向に引きつられ、コンシールファスナー近傍のシート状基材の形状が立体的になり、コンシールファスナーの位置が外側から目立つ場合がある。
【００４８】
本開示の取付構造において、上記コンシールファスナーとしては、長手方向を有するエレメント部と、上記エレメント部の長手方向に沿って配置され且つ上記エレメント部により分離可能な一対のテープ状部材と、エレメント部を開閉する引手部とを有するものであれば、当技術分野で用いられているものを制限なく採用することができる。
上記コンシールファスナーは、各社から、種々の形状を有するものが市販されている。
【００４９】
本開示の取付構造において、第１連結部〜第４連結部として記載される連結部は、本技術分野で公知の連結手段により形成することができ、例えば、糸による縫合部、接着剤、両面テープ等による接着部、粘着材による粘着部、面ファスナー等による固定部等が挙げられる。
【００５０】
本開示の取付構造において、第１連結部は、上述の幅を有する第１折返部と、第２折返部とを連結するが、第１連結部は、第１折返部の自由端側の縁部よりの部分と、第２の折返部の自由端側の縁部よりの部分とを連結することが好ましい。第２連結部を形成するスペースを確保するためである。
なお、第１折返部の自由端とは、第１折返部のうち、シート状基材と反対側の端部を意味し、そして第２折返部の自由端とは、第２折返部のうち、補助部材と反対側の端部を意味する。
【００５１】
本開示の取付構造において、第１折返部の自由端は、第２折返部の自由端よりも内側に配置されていることができ、第２折返部の自由端よりも外側に配置されることができ、又は第２折返部の自由端と略同一の位置に配置されることができる。コンシールファスナーを、シート状基材に取付ける方法の観点からは、第２折返部の自由端が、第２折返部の自由端と略同一の位置に配置されることが好ましい。コンシールファスナーを、シート状基材に取付ける方法については、後述する。
【００５２】
本開示の取付構造において、第２連結部は、第１連結部よりも少なくとも内側において、テープ状部材と、第１折返部及び／又は第２切込部の両端の補助部材とを連結するが、第２連結部は、コンシールファスナーのテープ状部材のエレメント部よりの部分と、第１折返部の固定端側の縁部よりの部分又は第２連結部の固定端側の縁部よりの部分とを連結することが好ましい。第１連結部との位置関係の他、コンシールファスナーは、テープ状部材のエレメント部よりの部分を、連結すべき部材と連結するのが一般的であるためである。
なお、第１折返部の固定端とは、第１折返部のうち、シート状基材側の端部を意味し、そして第２折返部の固定端とは、第２折返部のうち、補助部材側の端部を意味する。
【００５３】
本開示の取付構造において、第２連結部は、第１連結部よりも少なくとも内側において、テープ状部材と、第１折返部及び／又は補助部材とをそれぞれ連結する。
【００５４】
第２連結部が、テープ状部材と、第１折返部とを連結する実施形態としては、図１〜図４に示されるものが挙げられる。
また、第２連結部が、テープ状部材と、補助部材とを連結する実施形態としては、図８に示されるものが挙げられる。
【００５５】
さらに、第２連結部が、テープ状部材と、第１折返部及び／又は補助部材とを連結する実施形態の１つを、図１１に示す。図１１は、本開示の別の実施形態に従う取付構造１を説明するための図であり、図１のＩＩ−ＩＩ面に相当する端面における端面図である。
【００５６】
図１１に示される取付構造１では、第２連結部１３が接着部２５であり、接着部２５が、一対のテープ状部材９を、第１折返部７及び補助部材４に連結している。
上記接着部の形成方法の例としては、例えば、テープ状部材９の表面１９２に、接着剤を塗工して接着部２５を形成し、次いで、接着部２５を、第１折返部７及び補助部材４に押しつけることが挙げられる。
【００５７】
本開示の取付構造は、ファスナーが用いられうる全ての商品に適用することができ、上記商品として、例えば、衣服、例えば、スポーツ用衣服、バッグ、例えば、スポーツ用バッグ、スキー用バッグ及びスノーボード用バッグ、自動車用シート、ソファー、ベッド、カバー、例えば、布団カバー及びクッションカバーが挙げられる。
【００５８】
図１２は、本開示の取付構造を備える衣服の例を説明するための図である。図１２に示される衣服３１は、取付構造１'及び１''を含む。取付構造１'は、シート状基材２が、第１切込部５'の長手方向の２つの端部（両端）１５１'及び１５１''の外側において連続している実施形態であり、そして取付構造１''は、シート状基材２が、第１切込部５''の長手方向の端部１５１'''の外側において連続し且つ第１切込部５''の長手方向の端部１５１''''の外側において非連続である実施形態である。
【００５９】
［コンシールファスナーを、シート状基材に取付ける方法］
本開示の、コンシールファスナーを、シート状基材に取付ける方法（以下、単に「取付方法」と称する場合がある）について、以下説明する。
図１３Ａ〜図１３Ｃは、コンシールファスナーを、シート状基材に取付ける方法を説明するための図であり、図１のＩＩ−ＩＩ面に相当する断面における斜視断面図である。
【００６０】
本開示の取付方法は、シート状基材と、コンシールファスナーと、補助部材とを準備するステップを含む。また、上記コンシールファスナーは、長手方向を有するエレメント部と、上記エレメント部の長手方向に沿って配置され且つ上記エレメント部により分離可能な一対のテープ状部材と、エレメント部を開閉する引手部とを有する。
これらの部材については、取付構造に関連して説明済みであるため、ここでの説明を省略する。
【００６１】
本開示の取付方法は、補助部材を、シート状基材の上に、シート状基材の表面と補助部材の裏面とが向かい合うように積み重ねるステップ（以下、「積み重ねステップ」と称する場合がある）を含む。当該積み重ねステップを、図１３Ａを用いて説明する。
【００６２】
図１３Ａに示されるように、積み重ねステップでは、補助部材４を、シート状基材２の上に、シート状基材２の表面１２２と補助部材４の裏面１４３とが向かい合うように積み重ねる。
【００６３】
本開示の取付方法は、シート状基材と、補助部材とを、一対の第１連結部を形成するように連結するステップ（以下、「第１連結部形成ステップ」と称する場合がある）を含む。当該第１連結部形成ステップを、図１３Ａを用いて説明する。
図１３Ａに示されるように、第１連結部形成ステップでは、シート状基材２と、補助部材４とを、一対の第１連結部１２を形成するように連結する。
【００６４】
本開示の取付方法は、一対の第１連結部の間に切込みを入れ、シート状基材に長手方向を有する第１切込部を形成するとともに、補助部材に長手方向を有する第２切込部を形成するステップ（以下、「切込部形成ステップ」と称する場合がある）を含む。当該切込部形成ステップを、図１３Ａを用いて説明する。
図１３Ａに示されるように、切込部形成ステップでは、一対の第１連結部１２の間に切込みを入れ、シート状基材２に長手方向を有する第１切込部５を形成するとともに、補助部材４に長手方向を有する第２切込部１０を形成する。
【００６５】
本開示の取付方法では、第１切込部及び第２切込部は、一回又は複数回の切込みにより一括して形成されてもよく、又は複数回の切込みにより別個に形成されてもよい。シート状基材又は補助部材の傷を防ぐ観点からは、第１切込部及び第２切込部は、一回又は複数回の切込みにより一括して形成されることが好ましい。
【００６６】
また、本開示の取付方法では、第１切込部と、第２切込部とが、略同一の長さを有することができ、第１切込部が第２切込部より長い長さを有することができ、又は第１切込部が、第２切込部よりも短い長さを有することができる。第１切込部及び第２切込部を一括して形成する観点からは、第１切込部と、第２切込部は、略同一の長さを有することが好ましい。
【００６７】
本開示の取付方法は、補助部材を、第１切込部及び第２切込部の中に通し、補助部材をシート状基材の裏面側に移動させるとともに、シート状基材の一部と、補助部材の一部とを、それぞれ折返し、シート状基材の裏面と、補助部材の表面とを向かい合わせるステップ（以下、「向かい合わせステップ」と称する場合がある）を含む。当該向かい合わせステップを、図１３Ａ及び図１３Ｂを用いて説明する。
【００６８】
図１３Ａに矢印で示されるように、向かい合わせステップでは、補助部材４、より正確には、その長手方向両側部及び長手方向両端部を、第１切込部５及び第２切込部１０の中に通し、補助部材４をシート状基材２の裏面１２３側に移動させる。次いで、図１３Ｂに示されるように、シート状基材２の一部と、補助部材４の一部とを、それぞれ折返し、シート状基材２の裏面１２３と、補助部材４の表面１４２とを向かい合わせる。
【００６９】
上記向かい合わせステップにより、シート状基材２及び補助部材４に、それぞれ、一対の第１折返部７及び一対の第２折返部１１が形成され、一対の第１折返部７は、第１切込部５の長手方向に沿って延び、一対の第２折返部１１は、第２切込部１０の長手方向に沿って延びる。
【００７０】
本開示の取付方法は、一対の第１連結部よりも少なくとも内側において、コンシールファスナーの一対のテープ状部材と、一対の第１折返部及び／又は第２切込部の両端の補助部材とをそれぞれ連結し、一対の第２連結部を形成するステップ（以下、「第２連結部形成ステップ」と称する場合がある）を含む。当該第２連結部形成ステップを、図１３Ｃを用いて説明する。
【００７１】
図１３Ｃに示されるように、第２連結部形成ステップでは、一対の第１連結部１２よりも少なくとも内側において、一対のテープ状部材９と、一対の第１折返部７とをそれぞれ連結し、一対の第２連結部１３を形成する。
【００７２】
テープ状部材９と、第１折返部７は、当技術分野に公知の方法に従って連結することができ、例えば、連結が、糸による縫合により行われる場合には、公知のミシンに、コンシールファスナー保持部を取付け、それらを縫い合わせることができる。
【００７３】
縫い合わせの際、補助部材４は、縫い合わせ部分の目印として機能する。例えば、図１３Ｃに示される実施形態では、補助部材４の自由端１４４を、テープ状基材９の自由端１９４と一致させながら、テープ状基材９を第１折返部７と縫い合わせることにより、テープ状基材９を、直接目視することができない第１折返部７に適格に連結することができる。
なお、第１連結部が縫合部以外の場合であっても、補助部材は、連結の目印として機能する。
【００７４】
また、図１０に示される実施形態では、補助部材４の自由端１４４と、テープ状基材９の自由端１９４との間隔を一定に保ちながら、テープ状基材９と、第１折返部７とを縫い合わせることにより、テープ状部材９を、直接目視することができない第１折返部７に適格に縫い合わせることができる。
なお、第１連結部が縫合部以外の場合であっても、補助部材は、連結の目印として機能する。
【００７５】
本開示の別の実施形態に従う取付方法では、コンシールファスナーの一対のテープ状部材を、ポケット部を形成するためのポケット部用部材と連結し、コンシールファスナーからアクセスすることができるポケット部を形成するステップをさらに含む。当該ステップにより、図９に示されるような取付構造１が形成される。
【００７６】
図１４は、従来のコンシールファスナーの取付方法及び取付構造を説明するための図である。図１４は、図１のＩＩ−ＩＩ面に相当する断面における斜視断面図に相当する。
従来のコンシールファスナーは、別個のパーツに分断されているシート状基材２の断片２'と、断片２''とを、第１折返部７の幅が、コンシールファスナー３のテープ状部材９の幅とほぼ一致するように、それぞれ、折り返す。
【００７７】
次いで、第１折返部７の自由端４１と、テープ状部材９の自由端１９４とがほぼ一致するように調整しながら、コンシールファスナー保持部を備える公知のミシンにより、第１折返部７と、テープ状部材９とを連結し、連結部４２を形成する。
上述のように、従来のコンシールファスナーは、２つのパーツの連結部に形成されるため、ファスナーを形成する場所に制限がある。
【００７８】
具体的には、本開示は以下のＪ１〜Ｊ１６に関する。
［Ｊ１］
コンシールファスナーのシート状基材への取付構造であって、
上記取付構造が、シート状基材と、コンシールファスナーと、上記シート状基材及びコンシールファスナーの間の補助部材とを有し、
上記シート状基材が、長手方向を有する第１切込部と、第１切込部の長手方向両側部を第１切込部の長手方向に沿って上記補助部材側にそれぞれ折り返すことにより形成された、第１切込部の長手方向に沿って延びる一対の第１折返部とを有し、
上記コンシールファスナーが、長手方向を有するエレメント部と、上記エレメント部を開閉させる引手部と、上記エレメント部の長手方向に沿って配置され且つ上記エレメント部により分離可能な一対のテープ状部材とを有し、
上記補助部材が、長手方向を有する第２切込部と、第２切込部の長手方向両側部を第２切込部の長手方向に沿って上記シート状基材側にそれぞれ折り返すことにより形成された、第２切込部の長手方向に沿って延びる一対の第２折返部とを有し、
上記取付構造が、一対の第１折返部と、一対の第２折返部とをそれぞれ連結する一対の第１連結部を有し、そして
上記取付構造が、一対の第１連結部よりも少なくとも内側において、上記一対のテープ状部材と、一対の第１折返部及び／又は第２切込部の両端の補助部材とをそれぞれ連結する一対の第２連結部を有する、
ことを特徴とする、上記取付構造。
【００７９】
［Ｊ２］
上記補助部材の自由端が、上記テープ状部材の自由端と略同一の位置にあるか、又は上記テープ状部材の自由端よりも外側に配置されている、Ｊ１に記載の取付構造。
［Ｊ３］
一対の第１折返部の自由端が、一対の第２折返部の自由端と略同一の位置に配置されている、Ｊ１又はＪ２に記載の取付構造。
【００８０】
［Ｊ４］
第１切込部と、第２切込部とが、略同一の長さを有する、Ｊ１〜Ｊ３のいずれか一項に記載の取付構造。
［Ｊ５］
第１連結部及び／又は第２連結部が、縫合部である、Ｊ１〜Ｊ４のいずれか一項に記載の取付構造。
【００８１】
［Ｊ６］
上記シート状基材が、第１切込部の長手方向両端の外側において連続している、Ｊ１〜Ｊ５のいずれか一項に記載の取付構造。
［Ｊ７］
一対の第１折返部が、それぞれ、第１切込部から遠ざかる方向に突出する略弓形の形状を有する、Ｊ１〜Ｊ６のいずれか一項に記載の取付構造。
【００８２】
［Ｊ８］
上記テープ状基材が、第１切込部の長手方向両端の一方又は両方において、第１切込部と交差する第１切込部拡幅部をさらに備える、Ｊ１〜Ｊ６のいずれか一項に記載の取付構造。
［Ｊ９］
一対の第２折返部が、それぞれ、第２切込部から遠ざかる方向に突出する略弓形の形状を有する、Ｊ１〜Ｊ８のいずれか一項に記載の取付構造。
【００８３】
［Ｊ１０］
上記補助部材が、第２切込部の長手方向両端の一方又は両方において、第２切込部と交差する第２切込部拡幅部をさらに備える、Ｊ１〜Ｊ８のいずれか一項に記載の取付構造。
［Ｊ１１］
上記一対のテープ状部材が、ポケット部用部材とさらに連結されており、上記取付構造が、上記コンシールファスナーからアクセスすることができるポケット部をさらに有する、Ｊ１〜Ｊ１０のいずれか一項に記載の取付構造。
【００８４】
［Ｊ１２］
第２連結部が、上記テープ状部材と、第２折返部とを連結し、上記取付構造の表面から、上記テープ状部材の一部が見えている、Ｊ１〜Ｊ１１のいずれか一項に記載の取付構造。
［Ｊ１３］
衣服用である、Ｊ１〜Ｊ１２のいずれか一項に記載の取付構造。
【００８５】
［Ｊ１４］
コンシールファスナーを、シート状基材に取付ける方法であって、
シート状基材と、コンシールファスナーと、補助部材とを準備するステップ、ここで、上記コンシールファスナーは、長手方向を有するエレメント部と、上記エレメント部の長手方向に沿って配置され且つ上記エレメント部により分離可能な一対のテープ状部材と、上記エレメント部を開閉する引手部とを有する、
上記補助部材を、上記シート状基材の上に、上記シート状基材の表面と上記補助部材の裏面とが向かい合うように積み重ねるステップ、
上記シート状基材と、上記補助部材とを、一対の第１連結部を形成するように連結するステップ、
一対の第１連結部の間に切込みを入れ、上記シート状基材に長手方向を有する第１切込部を形成するとともに、上記補助部材に長手方向を有する第２切込部を形成するステップ、
上記補助部材を、第１切込部及び第２切込部の中に通し、上記補助部材を上記シート状基材の裏面側に移動させるとともに、上記シート状基材の一部と、上記補助部材の一部とを、それぞれ折返し、上記シート状基材の裏面と、上記補助部材の表面とを向かい合わせるステップ、ここで、当該ステップにより、上記シート状基材及び上記補助部材に、それぞれ、一対の第１折返部及び一対の第２折返部が形成され、一対の第１折返部は、第１切込部の長手方向に沿って延び、一対の第２折返部は、第２切込部の長手方向に沿って延びる、
一対の第１連結部よりも少なくとも内側において、上記一対のテープ状部材と、一対の第１折返部及び／又は第２切込部の両端の補助部材とをそれぞれ連結し、一対の第２連結部を形成するステップ、
を含むことを特徴とする、上記方法。
【００８６】
［Ｊ１５］
上記一対のテープ状部材を、ポケット部用部材と連結し、上記コンシールファスナーからアクセスすることができるポケット部を形成するステップをさらに含む、Ｊ１４に記載の方法。
【００８７】
［Ｊ１６］
上記補助部材の自由端が、上記テープ状部材の自由端と略同一の位置にあるか、又は上記テープ状部材の自由端よりも外側に配置されており、一対の第２連結部を形成するステップにおいて、上記テープ状部材の自由端を目印として、上記一対のテープ状部材と、一対の第１折返部及び／又は第２切込部の両端の補助部材とをそれぞれ連結する、Ｊ１４又はＪ１５に記載の方法。
【００８８】
本開示はまた、次のＫ１〜Ｋ１７，及びＬ１〜Ｌ１７に関する。
［Ｋ１］
コンシールファスナーを、シート状基材に取付ける方法であって、
シート状基材と、コンシールファスナーと、補助部材とを準備するステップ、ここで、上記コンシールファスナーは、長手方向を有するエレメント部と、上記エレメント部の長手方向に沿って配置され且つ上記エレメント部により分離可能な一対のテープ状部材と、上記エレメント部を開閉する引手部とを有する、
上記補助部材を、上記シート状基材の上に、上記シート状基材の表面と上記補助部材の裏面とが向かい合うように積み重ねるステップ、
上記シート状基材と、上記補助部材とを、一対の第１連結部を形成するように連結するステップ、
一対の第１連結部の間に切込みを入れ、上記シート状基材に長手方向を有する第１切込部を形成するとともに、上記補助部材に長手方向を有する第２切込部を形成するステップ、
上記補助部材を、第１切込部及び第２切込部の中に通し、上記補助部材を上記シート状基材の裏面側に移動させるとともに、上記シート状基材の一部と、上記補助部材の一部とを、それぞれ折返し、上記シート状基材の裏面と、上記補助部材の表面とを向かい合わせるステップ、ここで、当該ステップにより、上記シート状基材及び上記補助部材に、それぞれ、一対の第１折返部及び一対の第２折返部が形成され、一対の第１折返部は、第１切込部の長手方向に沿って延び、一対の第２折返部は、第２切込部の長手方向に沿って延びる、
一対の第１連結部よりも少なくとも内側において、上記一対のテープ状部材と、一対の第１折返部及び／又は第２切込部の両端の補助部材とをそれぞれ連結し、一対の第２連結部を形成するステップ、
を含むことを特徴とする、上記方法。
【００８９】
［Ｋ２］
上記一対のテープ状部材を、ポケット部用部材と連結し、上記コンシールファスナーからアクセスすることができるポケット部を形成するステップをさらに含む、Ｋ１に記載の方法。
【００９０】
［Ｋ３］
上記補助部材の自由端が、上記テープ状部材の自由端と略同一の位置にあるか、又は上記テープ状部材の自由端よりも外側に配置されており、一対の第２連結部を形成するステップにおいて、上記テープ状部材の自由端を目印として、上記一対のテープ状部材と、一対の第１折返部及び／又は第２切込部の両端の補助部材とをそれぞれ連結する、Ｋ１又はＫ２に記載の方法。
【００９１】
［Ｋ４］
上記補助部材の自由端が、上記テープ状部材の自由端と略同一の位置にあるか、又は上記テープ状部材の自由端よりも外側に配置されている、Ｋ１〜Ｋ３のいずれか一項に記載の方法。
［Ｋ５］
一対の第１折返部の自由端が、一対の第２折返部の自由端と略同一の位置に配置されている、Ｋ１〜Ｋ４のいずれか一項に記載の方法。
【００９２】
［Ｋ６］
第１切込部と、第２切込部とが、略同一の長さを有する、Ｋ１〜Ｋ５のいずれか一項に記載の方法。
［Ｋ７］
第１連結部及び／又は第２連結部が、縫合部である、Ｋ１〜Ｋ６のいずれか一項に記載の方法。
【００９３】
［Ｋ８］
上記シート状基材が、第１切込部の長手方向両端の外側において連続している、Ｋ１〜Ｋ７のいずれか一項に記載の方法。
［Ｋ９］
一対の第１折返部が、それぞれ、第１切込部から遠ざかる方向に突出する略弓形の形状を有する、Ｋ１〜Ｋ８のいずれか一項に記載の方法。
【００９４】
［Ｋ１０］
上記テープ状基材が、第１切込部の長手方向両端の一方又は両方において、第１切込部と交差する第１切込部拡幅部をさらに備える、Ｋ１〜Ｋ８のいずれか一項に記載の方法。
［Ｋ１１］
一対の第２折返部が、それぞれ、第２切込部から遠ざかる方向に突出する略弓形の形状を有する、Ｋ１〜Ｋ１０のいずれか一項に記載の方法。
【００９５】
［Ｋ１２］
上記補助部材が、第２切込部の長手方向両端の一方又は両方において、第２切込部と交差する第２切込部拡幅部をさらに備える、Ｋ１〜Ｋ１０のいずれか一項に記載の方法。
［Ｋ１３］
上記一対のテープ状部材が、ポケット部用部材とさらに連結されており、上記コンシールファスナーからアクセスすることができるポケット部がさらに形成される、Ｋ１〜Ｋ１２のいずれか一項に記載の方法。
【００９６】
［Ｋ１４］
第２連結部が、上記テープ状部材と、第２折返部とを連結し、上記シート状基材の表面から、上記テープ状部材の一部が見えている、Ｋ１〜Ｋ１３のいずれか一項に記載の方法。
［Ｋ１５］
衣服用である、Ｋ１〜Ｋ１４のいずれか一項に記載の方法。
【００９７】
［Ｋ１６］
上記補助部材が、第２切込部の長手方向両端の外側において連続している、Ｋ１〜Ｋ１５のいずれか一項に記載の方法。
［Ｋ１７］
上記補助部材が、第２切込部の長手方向両端の一方又は両方において連続していない、Ｋ１〜Ｋ１５のいずれか一項に記載の方法。
【００９８】
［Ｌ１］
コンシールファスナーのシート状基材への取付構造の製造方法であって、
シート状基材と、コンシールファスナーと、補助部材とを準備するステップ、ここで、上記コンシールファスナーは、長手方向を有するエレメント部と、上記エレメント部の長手方向に沿って配置され且つ上記エレメント部により分離可能な一対のテープ状部材と、上記エレメント部を開閉する引手部とを有する、
上記補助部材を、上記シート状基材の上に、上記シート状基材の表面と上記補助部材の裏面とが向かい合うように積み重ねるステップ、
上記シート状基材と、上記補助部材とを、一対の第１連結部を形成するように連結するステップ、
一対の第１連結部の間に切込みを入れ、上記シート状基材に長手方向を有する第１切込部を形成するとともに、上記補助部材に長手方向を有する第２切込部を形成するステップ、
上記補助部材を、第１切込部及び第２切込部の中に通し、上記補助部材を上記シート状基材の裏面側に移動させるとともに、上記シート状基材の一部と、上記補助部材の一部とを、それぞれ折返し、上記シート状基材の裏面と、上記補助部材の表面とを向かい合わせるステップ、ここで、当該ステップにより、上記シート状基材及び上記補助部材に、それぞれ、一対の第１折返部及び一対の第２折返部が形成され、一対の第１折返部は、第１切込部の長手方向に沿って延び、一対の第２折返部は、第２切込部の長手方向に沿って延びる、
一対の第１連結部よりも少なくとも内側において、上記一対のテープ状部材と、一対の第１折返部及び／又は第２切込部の両端の補助部材とをそれぞれ連結し、一対の第２連結部を形成するステップ、
を含むことを特徴とする、上記方法。
【００９９】
［Ｌ２］
上記一対のテープ状部材を、ポケット部用部材と連結し、上記コンシールファスナーからアクセスすることができるポケット部を形成するステップをさらに含む、Ｌ１に記載の方法。
【０１００】
［Ｌ３］
上記補助部材の自由端が、上記テープ状部材の自由端と略同一の位置にあるか、又は上記テープ状部材の自由端よりも外側に配置されており、一対の第２連結部を形成するステップにおいて、上記テープ状部材の自由端を目印として、上記一対のテープ状部材と、一対の第１折返部及び／又は第２切込部の両端の補助部材とをそれぞれ連結する、Ｌ１又はＬ２に記載の方法。
【０１０１】
［Ｌ４］
上記補助部材の自由端が、上記テープ状部材の自由端と略同一の位置にあるか、又は上記テープ状部材の自由端よりも外側に配置されている、Ｌ１〜Ｌ３のいずれか一項に記載の方法。
［Ｌ５］
一対の第１折返部の自由端が、一対の第２折返部の自由端と略同一の位置に配置されている、Ｌ１〜Ｌ４のいずれか一項に記載の方法。
【０１０２】
［Ｌ６］
第１切込部と、第２切込部とが、略同一の長さを有する、Ｋ１〜Ｌ５のいずれか一項に記載の方法。
［Ｌ７］
第１連結部及び／又は第２連結部が、縫合部である、Ｌ１〜Ｌ６のいずれか一項に記載の方法。
【０１０３】
［Ｌ８］
上記シート状基材が、第１切込部の長手方向両端の外側において連続している、Ｌ１〜Ｌ７のいずれか一項に記載の方法。
［Ｌ９］
一対の第１折返部が、それぞれ、第１切込部から遠ざかる方向に突出する略弓形の形状を有する、Ｌ１〜Ｌ８のいずれか一項に記載の方法。
【０１０４】
［Ｌ１０］
上記テープ状基材が、第１切込部の長手方向両端の一方又は両方において、第１切込部と交差する第１切込部拡幅部をさらに備える、Ｌ１〜Ｌ８のいずれか一項に記載の方法。
［Ｌ１１］
一対の第２折返部が、それぞれ、第２切込部から遠ざかる方向に突出する略弓形の形状を有する、Ｌ１〜Ｌ１０のいずれか一項に記載の方法。
【０１０５】
［Ｌ１２］
上記補助部材が、第２切込部の長手方向両端の一方又は両方において、第２切込部と交差する第２切込部拡幅部をさらに備える、Ｌ１〜Ｌ１０のいずれか一項に記載の方法。
［Ｌ１３］
上記一対のテープ状部材が、ポケット部用部材とさらに連結されており、上記取付構造が、上記コンシールファスナーからアクセスすることができるポケット部をさらに有する、Ｌ１〜Ｌ１２のいずれか一項に記載の方法。
【０１０６】
［Ｌ１４］
第２連結部が、上記テープ状部材と、第２折返部とを連結し、上記取付構造の表面から、上記テープ状部材の一部が見えている、Ｌ１〜Ｌ１３のいずれか一項に記載の方法。
［Ｌ１５］
上記取付構造が、衣服用である、Ｌ１〜Ｌ１４のいずれか一項に記載の方法。
【０１０７】
［Ｌ１６］
上記補助部材が、第２切込部の長手方向両端の外側において連続している、Ｌ１〜Ｌ１５のいずれか一項に記載の方法。
［Ｌ１７］
上記補助部材が、第２切込部の長手方向両端の一方又は両方において連続していない、Ｌ１〜Ｌ１５のいずれか一項に記載の方法。
【符号の説明】
【０１０８】
１    取付構造
２    シート状基材
３    コンシールファスナー
４    補助部材
５    第１切込部
６    引手部
７    第１折返部
８    エレメント部
９    テープ状部材
１０    第２切込部
１１    第２折返部
１２    第１連結部
１３    第２連結部
２１    ポケット部用部材
２２    ポケット部
２３    第３連結部
２４    第４連結部
２５    接着部
３１    衣服
４１，１４４，１９４    自由端
４２    連結部
１０２，１２２，１４２，１９２    表面
１２３，１４３    裏面
１５２，２０２    長手方向端部
１２１，２０１    長手方向側部
２０３    第２切込部拡幅部
２０４    第１切込部拡幅部
【図１】
2015139497.tif 000003
【図２】
2015139497.tif 000004
【図３】
2015139497.tif 000005
【図４】
2015139497.tif 000006
【図５】
2015139497.tif 000007
【図６】
2015139497.tif 000008
【図７】
2015139497.tif 000009
【図８】
2015139497.tif 000010
【図９】
2015139497.tif 000011
【図１０】
2015139497.tif 000012
【図１１】
2015139497.tif 000013
【図１３Ａ】
2015139497.tif 000014
【図１３Ｂ】
2015139497.tif 000015
【図１３Ｃ】
2015139497.tif 000016
【図１４】
2015139497.tif 000017
【図１２】
2015139497.tif 000018